(57)【要約】【課題】変形強度を高めることができるプラズマディスプレイ装置を提供する。【解決手段】プラズマディスプレイパネル（ＰＤＰ）１と、ＰＤＰ１の後面に接合された板状のシャーシ２と、ＰＤＰ１に電気信号を出力する回路基板３と、これらＰＤＰ１、シャーシ２、及び回路基板３を収容するケーシング４とを備えたプラズマディスプレイ装置において、シャーシ２の後面に付設され、シャーシ２の面方向に延在してシャーシ２の外側に張り出す補強部材５と、シャーシ２より複数の方向に張り出した補強部材５の張出部６ａ〜６ｄにそれぞれ設けられ、ケーシング４を固着する固定手段（例えば貫通穴７ａ〜７ｄ等）とを備える。【選択図】図１
2009058670.tif 000002
【特許請求の範囲】
【請求項１】
プラズマディスプレイパネルと、前記プラズマディスプレイパネルの後面に接合された板状のシャーシと、前記プラズマディスプレイパネルに電気信号を出力する回路基板と、前記プラズマディスプレイパネル、前記シャーシ、及び前記回路基板を収容するケーシングとを備えたプラズマディスプレイ装置において、
前記シャーシの後面に付設され、前記シャーシの面方向に延在して前記シャーシの外側に張り出す補強部材と、
前記シャーシより複数の方向に張り出した前記補強部材の張出部にそれぞれ設けられ、前記ケーシングを固着する固定手段とを備えたことを特徴とするプラズマディスプレイ装置。
【請求項２】
請求項１記載のプラズマディスプレイ装置において、前記固定手段は、前記補強部材の張出部及び前記ケーシングのうちのいずれか一方に形成された貫通穴及び他方に形成されたネジ穴と、前記貫通穴に挿通され前記ネジ穴に螺合されるネジとを有することを特徴とするプラズマディスプレイ装置。
【請求項３】
請求項１記載のプラズマディスプレイ装置において、前記補強部材に設けられ、前記シャーシに接触しないでかつ前記補強部材の上部より前記シャーシに近づくように形成された固定支持部で前記回路基板を固定支持する回路基板支持用部材を備えたことを特徴とするプラズマディスプレイ装置。
【発明の詳細な説明】
【技術分野】
【０００１】
本発明は、プラズマディスプレイパネルを用いて画像表示するプラズマディスプレイ装置に関する。
【背景技術】
【０００２】
プラズマディスプレイ装置は、一般に、プラズマディスプレイパネル（Plasma Display Panel：以降、ＰＤＰと称す）と、ＰＤＰの後面に接合された板状のシャーシと、ＰＤＰに電気信号を出力する回路基板と、これらＰＤＰ、シャーシ、及び回路基板を収容するケーシングとを備えている（例えば、特許文献１参照）。
【０００３】
特許文献１に記載のプラズマディスプレイ装置では、シャーシの後面には梯子状のフレームが付設されている。また、シャーシの後面の内側部分には、回路基板を取り付けるためのネジ穴が形成された第１のボスと、バックカバーを取り付けるためのネジ穴が形成された第２のボスとが設けられている。そして、回路基板は、第１のボスにネジ止めされて固定されている。バックカバーは、シャーシの左上角及び右上角に取り付けられたブラケットに支持されつつ、第２のボスにネジ止めされて固定されている。キャビネット（フロントカバー）は、前述したシャーシの左上角及び右上角のブラケットに係止され、シャーシの左下角及び右下角に取り付けられたブラケットに下方側からネジ止めされて固定されている。
【０００４】
【特許文献１】特開２０００−２００４６号公報
【発明の開示】
【発明が解決しようとする課題】
【０００５】
プラズマディスプレイ装置は、例えば壁掛け用途や製造コスト低減の観点から軽量化が望まれており、その実現方法としてシャーシの薄板化が考えられる。ところが、シャーシの薄板化を図れば剛性が低下するので、輸送時の振動等が作用したときの変形に対する強度が低下する虞がある。上記特許文献１に記載のプラズマディスプレイ装置では、シャーシの後面にフレームを設けることにより変形強度が高められているものの、変形強度の面で更なる改善の余地があった。
【０００６】
本発明の目的は、変形強度を高めることができるプラズマディスプレイ装置を提供することにある。
【課題を解決するための手段】
【０００７】
上記目的を達成するために、本発明は、プラズマディスプレイパネルと、前記プラズマディスプレイパネルの後面に接合された板状のシャーシと、前記プラズマディスプレイパネルに電気信号を出力する回路基板と、前記プラズマディスプレイパネル、前記シャーシ、及び前記回路基板を収容するケーシングとを備えたプラズマディスプレイ装置において、前記シャーシの後面に付設され、前記シャーシの面方向に延在して前記シャーシの外側に張り出す補強部材と、前記シャーシより複数の方向に張り出した前記補強部材の張出部にそれぞれ設けられ、前記ケーシングを固着する固定手段とを備える。
【０００８】
このように本発明においては、ケーシングを固着する固定手段を、シャーシより複数の方向に張り出した補強部材の張出部にそれぞれ設ける。これにより、例えばシャーシの後面の内側部分に固定手段を設ける場合と比べ、固定手段を介しケーシングによって固定されるシャーシの位置範囲を拡大することができ、シャーシの端部変形（局所変形）に対する強度を高めることができる。また、輸送時の振動等が作用したときにケーシングの局所的な慣性力が固定手段に加わるが、補強部材を介在させることでシャーシに加わる力を低減させることができ、変形強度を高めることができる。
【発明の効果】
【０００９】
本発明によれば、変形強度を高めることができる。
【発明を実施するための最良の形態】
【００１０】
以下、本発明の一実施形態を、図面を参照しつつ説明する。図１は、本発明のプラズマディスプレイ装置の一実施形態の構造を表す斜視図である。
【００１１】
この図１において、プラズマディスプレイ装置は、プラズマディスプレイパネル（Plasma Display Panel：以降、ＰＤＰと称す）１と、ＰＤＰ１の後面に接着材等で接合された板状のシャーシ２と、ＰＤＰ１に電気信号を出力する回路基板３と、これらＰＤＰ１、シャーシ２、及び回路基板３を収容するケーシング４とを備えている。
【００１２】
シャーシ２の後面には、例えば断面コの字状の補強部材５が格子状に配設されている。本実施形態では、補強部材５は、シャーシ２の長手方向（図１中左上・右下方向）及び短手方向（図１中上下方向）に２本ずつ延在するように配設されている。そして、補強部材５は、シャーシ２の左辺側（図１中左側）より張り出す２つの張出部６ａと、シャーシ２の右辺側（図１中右側）より張り出す２つの張出部６ｂと、シャーシ２の上辺側（図１中上側）より張り出す２つの張出部６ｃと、シャーシ２の下辺側より張り出す２つの張出部６ｄとを有している。なお、これら張出部６ａ〜６ｄは、シャーシ２の角近傍となるように配置されている。
【００１３】
補強部材５の張出部６ａの先端は、ケーシング４と干渉しないような形状に形成され、例えば２つの貫通穴７ａが形成されている。補強部材５の張出部６ｂ〜６ｄの先端も同様に、ケーシング４と干渉しないような形状に形成され、貫通穴７ｂ〜７ｄがそれぞれ形成されている。そして、補強部材５の貫通穴７ａ〜７ｄにそれぞれ挿通されたネジ（図示せず）の先端がケーシング４のネジ穴（図示せず）にそれぞれ螺合されて、ケーシング４が補強部材５に固着されるようになっている。
【００１４】
また、シャーシ２の後面における補強部材５の格子間には回路基板３を支持するためのボス８が設けられている。このボス８には、回路基板３を固定するためのネジ穴（図示せず）が形成されている。また、補強部材５の上部には複数のネジ穴（図示せず）が形成されており、それらネジ穴に段差金具９（回路基板支持用部材）がネジ止めされて固定されている。段差金具９は、詳細を図示しないが、シャーシ２に接触しないでかつ補強部材５の上部よりシャーシ５に近づくように形成され回路基板３を支持する固定支持部を有し、この固定支持部に回路基板３を固定するためのネジ穴が形成されている。回路基板３には、ボス８及び段差金具９に対応する位置に貫通穴（図示せず）が形成されている。そして、回路基板３の貫通穴にそれぞれ挿通されたネジがボス８のネジ穴及び段差金具９のネジ穴に螺合されて、回路基板３が固定されるようになっている。
【００１５】
以上のように構成された本実施形態においては、ケーシング４を固着する固定手段として、補強部材５の張出部６ａ〜６ｄに貫通穴７ａ〜７ｄを形成しケーシング４にネジ穴を形成してネジ止めする。これにより、例えばシャーシ２の後面の内側部分に固定手段を設ける場合と比べ、固定手段を介しケーシング４によって固定されるシャーシ２の位置範囲を拡大することができ、シャーシ２の端部変形（局所変形）に対する強度を高めることができる。また、輸送時の振動等が作用したときにケーシング４の局所的な慣性力が固定手段に加わるが、補強部材５を介在させることでシャーシ２に加わる力を低減させることができ、変形強度を高めることができる。
【００１６】
また本実施形態では、回路基板３は、シャーシ２の後面に設けたボス８だけでなく、補強部材５に取り付けた段差金具９で固定支持されている。これにより、輸送時の振動等が作用したときに回路基板３の慣性力が加わるが、補強部材５を介在させることでシャーシ２に加わる力を低減させることができ、変形強度を高めることができる。また、段差金具９は、補強部材５の上部よりシャーシ５に近づくように形成された固定支持部で回路基板３を固定支持するので、回路基板３が装置後方側に突出するのを極力抑え、装置全体の大型化を防止することができる。
【００１７】
このように本実施形態においては、変形強度を高めることができる。その結果、シャーシ２の薄板化を図り、軽量化を図ることが可能である。
【００１８】
なお、上記一実施形態においては、ケーシング４を補強部材５に固着する固定手段として、補強部材５の張出部６ａ〜６ｄに貫通穴６ａ〜６ｄを形成しケーシング４にネジ穴を形成してネジ止めする場合を例にとって説明したが、これに限られない。すなわち、例えば補強部材５の張出部６ａ〜６ｄにネジ穴を形成しケーシング４に貫通穴を形成してネジ止めしてもよい。また、例えば補強部材５の張出部６ａ〜６ｄ及びケーシング４に貫通穴をそれぞれ形成してネジ及びナットを用い共締めしてもよい。このような場合も、上記同様の効果を得ることができる。
【００１９】
また、上記一実施形態においては、回路基板３は、シャーシ２に設けたボス８及び補強部材５に取り付けた段差金具９で固定支持される場合を例にとって説明したが、これに限られず、例えば段差金具９のみで固定支持されるようにしてもよい。この場合も、上記同様の効果を得ることができる。
【００２０】
また、上記一実施形態においては、段差金具９が補強部材５にネジ止めされた場合を例にとって説明したが、これに限られず、例えば溶接手段等で接合されてもよい。また、上記一実施形態においては、補強部材５はシャーシ２と別体で成形され溶接やリベット等で接合された場合を想定して説明したが、これに限られず、補強部材５及びシャーシ２が一体部材として成形されてもよい。これらの場合も、上記同様の効果を得ることができる。
【００２１】
また、上記一実施形態においては、特に説明しなかったが、図２に示すように、回路基板３の配置に対応して補強部材５の両側面に通風孔１０を形成してもよい。この場合は、回路基板３の冷却効果を高めるとともに、軽量化を図ることができる。また、図３に示すように、シャーシ２の外辺近傍に位置する補強部材５の側面に、ケーブル（図示せず）を挿通するためのケーブル挿通孔１１を形成してもよい。この場合は、ケーブルの取り合いを確保するとともに、軽量化を図ることができる。
【００２２】
また、上記一実施形態においては、断面がコの字状の補強部材５を格子状に、詳細には長手方向及び短手方向に２本ずつ延在するように配設して、シャーシ２の左辺側、右辺側、上辺側、及び下辺側より張り出す張出部６ａ〜６ｄを有する場合を例にとって説明したが、これに限られない。例えば断面がＬ字状や円形状等の補強部材を配設してもよい。また、本発明の技術思想を逸脱しない範囲内で、補強部材の配置を変えてもよい。すなわち、補強部材の長手方向及び短手方向の本数をそれぞれ３本以上としてもよい。その具体例としては、図４（但し、この図４において回路基板及びケーシング等を便宜上図示せず）に示すように、補強部材５Ａを長手方向に３本、短手方向に４本延在するように配設して、シャーシ２の左辺側より張り出す３つの張出部６ａ、シャーシ２の右辺側より張り出す３つの張出部６ｂ、シャーシ２の上辺側より張り出す４つの張出部６ｃ、及びシャーシ２の下辺側より張り出す４つの張出部６ｄを有するようにしてもよい。また、図示しないが、例えば補強部材を長手方向のみに配設して、シャーシの左辺側及び右辺側より張り出す張出部を設けたり、また例えば補強部材を短手方向のみに配設して、シャーシの上辺側及び下辺側より張り出す張出部を設けたりしてもよい。また、例えば補強部材を斜め方向に配設してもよい。これらの変形例においても、上記一実施形態同様の効果を得ることができる。
【図面の簡単な説明】
【００２３】
【図１】本発明のプラズマディスプレイ装置の一実施形態の構造を表す斜視図である。
【図２】本発明のプラズマディスプレイ装置の一変形例の構造を表す斜視図である。
【図３】本発明のプラズマディスプレイ装置の他の変形例の構造を表す斜視図である。
【図４】本発明のプラズマディスプレイ装置のさらに他の変形例の構造を表す部分拡大斜視図である。
【符号の説明】
【００２４】
１          プラズマディスプレイパネル（ＰＤＰ）
２          シャーシ
３          回路基板
４          ケーシング
５          補強部材
５Ａ        補強部材
６ａ〜６ｄ  張出部
７ａ〜７ｄ  貫通穴（固定手段）
９          段差金具（回路基板支持用部材）
【図１】
2009058670.tif 000003
【図２】
2009058670.tif 000004
【図３】
2009058670.tif 000005
【図４】
2009058670.tif 000006